(57)【要約】【課題】接続工事もしくは完了時の点検が容易な端子付きケーブルを提供する。【解決手段】予め布設場所に応じて加工され、接続端子１４を取付けたケーブルである。布設場所への布設状態を示す状態情報を記録したＩＣタグ１８を、ケーブルの任意の場所に装着している。ＩＣタグ１８には、例えば、複雑な構造のワイヤーハーネスについて、その各接続端子１４がどの場所にどのように接続されるかを状態情報として記録しておく。ＩＣタグに記録された情報は、布設場所側の接続部に装着された別のＩＣタグに記録された情報と関係付けられていてもよい。このような情報をＩＣタグ１８に記録しておけば、点検時に、送受信機を備えた情報読取り装置２２を用いて読み出して、接続ミスの有無等を容易に点検し確認できる。また、接続工事時にも確認しながらの接続作業ができる。【選択図】図２
2006049022.tif 000002
【特許請求の範囲】
【請求項１】
予め布設場所に応じて加工され、接続端子を取付けたケーブルであって、
前記布設場所への布設状態を示す状態情報を記録したＩＣタグを、ケーブルの任意の場所に装着したことを特徴とする端子付きケーブル。
【請求項２】
請求項１に記載の端子付きケーブルにおいて、
前記ケーブルの接続端子又はその近傍に前記ＩＣタグが装着され、当該ＩＣタグに記録された情報は、前記布設場所側の接続部に装着された別のＩＣタグに記録された情報と関係付けられていることを特徴とする端子付きケーブル。
【発明の詳細な説明】
【技術分野】
【０００１】
本発明は、予め布設場所に応じて加工された端子付きケーブルに関する。
【背景技術】
【０００２】
複数本のケーブルを予め結束して一体化し、両端に接続端子を装着しておくことにより、現場での配線作業を容易にすることが行われている。電化製品や、自動車等では、ワイヤーハーネスと呼ばれる。電力設備関係でも、端子付きケーブルとして、広く採用されている。
【特許文献１】特開２００３−２０３５２７号公報
【発明の開示】
【発明が解決しようとする課題】
【０００３】
ここで、従来の端子付きケーブルには、次のような解決すべき課題があった。
例えば、電力設備や通信設備関係で、端子付きケーブルの接続作業において接続ミスが生じると、大規模な事故が発生するおそれがある。特に、複雑に分岐したケーブルや外観構造の類似した端子が使用されていると接続ミスが生じ易い。このため、点検作業や安全確認にも、細心の注意力が必要になる。
【０００４】
しかしながら、接続作業時には目視できる表示やマークが、接続完了後は他の機器の陰に隠れて見えなくなることがある。従って、点検と確認作業に非常に時間がかかるという問題があった。
なお、ケーブルに、識別情報を記録したＩＣタグを取付けて、その識別情報を発信させることが知られている（特許文献１参照）。しかしながら、従来、このようなＩＣタグをケーブルの接続作業に応用された例はない。
【０００５】
本発明は、以上の点に着目してなされたもので、接続工事もしくは完了時の点検が容易な端子付きケーブルを提供することを目的とする。
【課題を解決するための手段】
【０００６】
本発明の各実施例においては、それぞれ次のような構成により上記の課題を解決する。
〈構成１〉
予め布設場所に応じて加工され、接続端子を取付けたケーブルであって、上記布設場所への布設状態を示す状態情報を記録したＩＣタグを、ケーブルの任意の場所に装着したことを特徴とする端子付きケーブル。
【０００７】
複雑な配線構造のワイヤーハーネスについて、その各接続端子がどの場所にどのように接続されるかを状態情報として記録しておく。この情報をＩＣタグに記録しておけば、点検時に、送受信機を備えた情報読取り装置を用いて読み出して、接続ミスの有無を容易に点検し確認できる。また、接続工事時にも確認しながらの接続作業ができる。
【０００８】
〈構成２〉
構成１に記載の端子付きケーブルにおいて、上記ケーブルの接続端子又はその近傍に上記ＩＣタグが装着され、当該ＩＣタグに記録された情報は、上記布設場所側の接続部に装着された別のＩＣタグに記録された情報と関係付けられていることを特徴とする端子付きケーブル。
【０００９】
ケーブルの接続端子と布設場所側の接続部の双方にそれぞれ装着された各ＩＣタグには、互いに接続されるものであるという情報、例えば、一方が雄端子で、他方がそれに接合すべき雌端子であるというように、互いに関係付けられた情報がそれぞれ記録されている。双方から布設状態情報を受信することで、接続ミスの有無等の確認ができる。また、例えば、他の機器に隠れてしまったり、保護カバーを被せてしまった状態でも、その外側からの確認や点検ができる。
【発明を実施するための最良の形態】
【００１０】
以下、本発明の実施の形態を実施例により詳細に説明する。
【実施例１】
【００１１】
図１は、実施例１の端子付きケーブルを示す説明図である。
図１に示すケーブル１０は、予め布設場所に応じて加工された、電力設備用あるいは通信設備用の複数のケーブル１２Ａ、１２Ｂ、１２Ｃからなるワイヤーハーネスを示している。複数のケーブル１２Ａ、１２Ｂ、１２Ｃの各端部にそれぞれ接続端子１４が取付けられている。
【００１２】
さらに、これらの接続端子１４の任意の場所に、それぞれＩＣタグ１８が装着されている。ＩＣタグ１８には、布設場所への布設状態、例えばどの場所にどのように接続されるかを示す状態情報、あるいは、布設場所側の接続部に装着された別のＩＣタグに記録された情報と関係付けられている情報が記録されている。
【００１３】
図２は、ケーブル１２の接続端子１４を、布設場所側の接続部１６に接続するときの状況を示す説明図である。
図２において、布設場所側の接続部１６にＩＣタグ２０が装着されている。このＩＣタグ２０には、布設場所側の接続部１６がケーブル１２の接続端子１４に接合されるものであるという情報が記録されている。このようなＩＣタグ１８、２０をそれぞれ備えたケーブル１２Ａの接続端子１４と布設場所側の接続部１６とを接続する際に、送受信機、アンテナ等を備えた周知の情報読取り装置２２を使用する。この情報読取り装置２２を接続端子１４と接続部１６の両者間に近づけて接続端子１４と接続部１６との関係を確認することができる。
【００１４】
例えば、接続端子１４に装着したＩＣタグ１８には、Ａ１１３番ケーブルの雄端子であることを示す記号として「Ａ１１３Ｍ」を記録させておく。また、これに接合すべき布設場所側の接続部１６に装着したＩＣタグ２０には、Ａ１１３番ケーブルの雌端子であることを示す記号として「Ａ１１３Ｆ」を記録させておく。各ＩＣタグ１８、２０に、このように記録しておくことによって、情報読取り装置２２を近づけて接続端子１４のＩＣタグ１８から「Ａ１１３Ｍ」を読み取り、ほぼ同時に、接続部１６のＩＣタグ２０から「Ａ１１３Ｆ」を読み取ることにより、両者の関係を確認できる。また、確認しながらの接続作業ができる。
【００１５】
図３は、既に接続されているケーブル１２Ａの接続端子１４と布設場所側の接続部１６との接続状態の点検状況を示す説明図である。
図３に示すように、ケーブル１２Ａの接続端子１４と布設場所側の接続部１６との接続部分に、情報読取り装置２２を近づけて接続端子１４に装着したＩＣタグ１８と、接続部１６のＩＣタグ１８とから、接続ミスの有無等の確認ができる。この確認作業は、例えば、各ＩＣタグ１８、２０に、図２の説明で述べたと同様の記号、「Ａ１１３Ｍ」、「Ａ１１３Ｆ」をそれぞれ記録しておけば、これらを情報読取り装置２２で適宜読み取ることにより行うことができる。
なお、ケーブル１２Ａの接続端子１４と布設場所側の接続部１６との接続部分が他の機器に隠れてしまったり、テービング等の保護カバーで包覆された状態でも、その外側からの確認や点検ができる。
【００１６】
図４は、図２に示したＩＣタグ１８又は２０と情報読取り装置２２の説明図である。
図４に示すように、ＩＣタグ１８又は２０には、アンテナ２５、送信機２７、受信機２８、及び状態情報２９が設けられている。アンテナ２５は、送信用と受信用の両方に使用される。受信機２８で問い合わせ信号３２を受信すると、送信機２７が動作し、状態情報２９を含む応答信号３１を送信する。
【００１７】
情報読取り装置２２は、各ケーブルの接続端子１４と布設場所側の接続部１６に装着されたＩＣタグ１８又は２０に対し、問い合わせ信号３２を送信する機能を持つ。送信機４１は、この問い合わせ信号３２を送信する。受信機４２は、各ケーブルのＩＣタグ１８又は２０から送信された応答信号３１を受信し、これを制御装置４５に送り込む。制御装置４５は、状態情報２９の内容をディスプレイ４７に表示する。ディスプレイ４７は、情報読取り装置２２に取付けられた液晶表示装置などからなる。
【００１８】
また、読取りの結果は、様々な付属情報と共に、記憶装置４６に記憶される。すなわち、記憶装置４６には、全てのＩＣタグ１８又は２０から受信した応答信号３１や状態情報２９の内容が記憶される。この情報は、後で様々な解析に利用できる。
【図面の簡単な説明】
【００１９】
【図１】実施例１の端子付きケーブルを示す説明図である。
【図２】ケーブルの接続端子を布設場所側の接続部に接続するときの状況を示す説明図である。
【図３】ケーブルの接続端子と布設場所側の接続部との接続の点検状況を示す説明図である。
【図４】ＩＣタグと情報読取り装置の説明図である。
【符号の説明】
【００２０】
１０  ワイヤーハーネス
１２Ａ、１２Ｂ、１２Ｃ  ケーブル
１４  ケーブルの接続端子
１６  布設場所側の接続部
１８、２０  ＩＣタグ
２２  情報読取り装置
【図１】
2006049022.tif 000003
【図２】
2006049022.tif 000004
【図３】
2006049022.tif 000005
【図４】
2006049022.tif 000006